(57)【要約】【課題】本発明は、建設工事現場や住宅改修工事などの際に、養生シートの一部に出入口を簡単に形成することができる養生シートチャックを提供する。【解決手段】本発明は、スライドファスナー５のファスナーテープ２を補強用シート部材６で補強した養生シートチャック１からなり、前記補強用シート部材６を養生シート本体に直接接着剤又は粘着テープで接着した後、前記スライドファスナー５のスライダー４をスライドさせて噛合金具３を開け、開かれた噛合金具３部分の前記養生シートをカッター等で切断し、前記養生シートの前記スライドファスナー５部分に簡単に出入口を形成するものである。【選択図】図１
2007303160.tif 000002
【特許請求の範囲】
【請求項１】
ファスナーテープ及び該ファスナーテープの縁部に止着した噛合金具を有し、該噛合金具をスライドするスライダーにより開閉するスライドファスナーにおいて、該スライドファスナーの外周囲に補強用シート部材を接着又は縫着して補強したことを特徴とする養生シートチャック。
【請求項２】
前記養生シートチャックは、正面視でＩ字形状又はＣ字形状に形成したことを特徴とする請求項１記載の養生シートチャック。
【請求項３】
請求項１記載の養生シートチャックの使用により、補強用シート部材を養生シート本体に直接接着剤又は粘着テープで接着した後、前記スライドファスナーのスライダーをスライドさせて噛合金具を開け、開かれた噛合金具部分の前記養生シートをカッター等で切断し、前記養生シートの前記スライドファスナー部分に出入口を形成することを特徴とする養生シートの出入口形成方法。
【発明の詳細な説明】
【技術分野】
【０００１】
本発明は、建設工事現場や住宅改修工事などの際に使用される養生シートに簡易な出入口を形成する養生シートチャックに関する。
【背景技術】
【０００２】
従来、建設工事現場や住宅改修工事などの際に使用される養生シートは、シート本体の各辺に沿って鳩目が複数個形成されていて、隣接するシート本体の鳩目に紐を掛け渡して緊縛し、養生シートを連結している。
したがって、養生シートへの出入口は、鳩目同士に紐を掛け渡していない個所を利用しており、隙間が形成されるため養生の目的が達成されない等の不都合があった。
また、隣接するシート本体の対向する各辺に沿って１列に配置された歯同士を、両方の歯に係合して歯に沿い移動するスライダーにより着脱可能に構成したスライドファスナー式養生シートが知られている（特許文献１を参照）。
上記養生シートは、スライダーによって噛み合わせ又は解除することにより、隣接する養生シート同士を容易に連結したり、分離したりすることができ、養生シート間の隙間をなくし、養生効果を向上させることができるものである。
また、養生シート本体の一部をスライドファスナー又は面ファスナーで開閉する養生シート分割部とし、該養生シート分割部の一端に止めひもを設けてなる養生シートが知られている（特許文献２を参照）。
上記養生シートは、養生シートの一部がファスナーにより分割されて比較的大きな開口が形成されるので、強風時に風力が前記開口から抜けて養生シートに作用しないようにしたものである。
【特許文献１】実開平５−７８５１号公報
【特許文献２】特開平９−２７７０５６号公報
【発明の開示】
【発明が解決しようとする課題】
【０００３】
本発明は、建設工事現場や住宅改修工事などの際に、養生シートの一部にスライドファスナーによる出入口を簡単に形成する養生シートチャックを提供することを目的とする。
【課題を解決するための手段】
【０００４】
本発明の養生シートチャックは、ファスナーテープ及び該ファスナーテープの縁部に止着した噛合金具を有し、該噛合金具をスライドするスライダーにより開閉するスライドファスナーにおいて、該スライドファスナーの外周囲に補強用シート部材を接着又は縫着して補強したものである。
また、前記養生シートチャックは、正面視でＩ字形状又はＣ字形状に形成したものである。
本発明の養生シートの出入口形成方法は、前記養生シートチャックの使用により、補強用シート部材を養生シート本体に直接接着剤又は粘着テープで接着した後、前記スライドファスナーのスライダーをスライドさせて噛合金具を開け、開かれた噛合金具部分の前記養生シートをカッター等で切断し、前記養生シートの前記スライドファスナー部分に出入口を形成するものである。
【発明の効果】
【０００５】
本発明の養生シートチャックは、建設工事現場、特に住宅の改修、リフォーム現場で家主が住んでいる時など、工事範囲を区画したり、ゴミ、ほこり等が他の部屋に入らないように養生するが、その時の出入口となる部分に使用することにより、ゴミ、ほこりの侵入を防ぐことができ、気密性も良くなるので解体工事等、アスベスト除去のクリーンルームの出入口にも使用できる。
【発明を実施するための最良の形態】
【０００６】
本発明は、スライドファスナーのファスナーテープを補強用シート部材で補強した養生シートチャックからなり、前記補強用シート部材を養生シート本体に直接接着剤又は粘着テープで接着した後、前記スライドファスナーのスライダーをスライドさせて噛合金具を開け、開かれた噛合金具部分の前記養生シートをカッター等で切断し、前記養生シートの前記スライドファスナー部分に簡単に出入口を形成するものである。
【０００７】
本発明の養生シートチャックの一実施例を添付図面に基づいて、以下に説明する。
図１の平面図に示すように、本発明の養生シートチャック１は、ファスナーテープ２及び該ファスナーテープ２の縁部に止着した噛合金具３を有し、該噛合金具３をスライドするスライダー４により開閉するスライドファスナー５と、該スライドファスナー５に固定され、外周囲を補強する補強用シート部材６から構成される。
図２の図１Ａ−Ａ断面図に示すように、前記ファスナーテープ２は、布製又はプラスチック製の素材から形成され、前記スライドファスナーの周囲を補強する補強用シート部材６に接着又は縫着される。
前記噛合金具３は、前記ファスナーテープ２の縁部に止着され、左右噛合うように対称形状の金属製又はプラスチック製から形成される。
前記スライダー４は、前記噛合金具３に沿ってスライドして前記噛合金具３を噛合い又は解除させる、適宜の強度を有する金属製又はプラスチック製の素材から形成される。
前記スライドファスナー５は、養生シートに出入口を形成できるような適宜の長さ、例えば１．２ｍを有する。
前記補強用シート部材６は、前記スライドファスナー５に適宜の強度を有する剛性を付与できるような厚さを有し、プラスチック製の素材から形成される。
【０００８】
次に、本発明の養生シートチャックの使用方法を添付図面に基づいて、以下に説明する。
図３の正面図に示すように、養生シート７の出入口となる部分、例えば中央部に養生シートチャック１を縦方向に接着する。
前記養生シートチャック１は、例えば補強用シート部材６の裏面に接着剤を塗布し、前記養生シート７に直接Ｉ字形状に接着することにより固定できる。
前記養生シートチャック１を固定した後、スライダー４をスライドさせてスライドファスナー５を開き、開かれた噛合金具３部分をカッター等で切断し、図４の正面図に示すように出入口８を形成するものである。
また、図５の断面図に示すように、前記養生シート７に粘着テープ９により前記補強用シート部材６を固定し、前記養生シートチャック１を固定した後、スライダー４をスライドさせてスライドファスナー５を開き、開かれた噛合金具３部分にカッター等により切断個所１０（出入口）を形成して、図４に示す出入口８を形成することもできる。
作業者等の出入りは、前記養生シートチャック１のスライダー４を上下にスライドさせることにより出入口８が開閉されるので、簡単に行うことができる。
【０００９】
前述の養生シートチャック１は、縦方向のＩ字形状であり、作業者等の出入りに際し前記出入口８が狭い場合には、図６の正面図に示すように、Ｃ字形状の養生シートチャック１としても良い。
出入口の形成は、前述と同様にして前記養生シートチャック１を固定した後、スライダー４をスライドさせてスライドファスナー５を開き、開かれた噛合金具３部分をカッター等により出入口を形成することができる。
なお、スライダー４の取付位置は上下を逆に形成しても良く、又逆Ｃ字形状の養生シートチャック１としても良い。
【図面の簡単な説明】
【００１０】
【図１】本発明の養生シートチャックの平面図である。
【図２】図１のＡ−Ａ断面図である。
【図３】本発明の養生シートチャックの使用状態を示す正面図である。
【図４】本発明の養生シートチャックの開口状態を示す正面図である。
【図５】本発明の養生シートチャックに粘着テープを使用した状態の断面図である。
【図６】本発明の養生シートチャックの他の使用状態を示す正面図である。
【符号の説明】
【００１１】
１  養生シートチャック
２  ファスナーテープ
３  噛合金具
４  スライダー
５  スライドファスナー
６  補強用シート部材
７  養生シート
８  出入口
９  粘着テープ
１０  切断個所（出入口）
【図１】
2007303160.tif 000003
【図２】
2007303160.tif 000004
【図３】
2007303160.tif 000005
【図４】
2007303160.tif 000006
【図５】
2007303160.tif 000007
【図６】
2007303160.tif 000008